(57)【要約】  本発明は、対象体を撮影するカメラと、カメラから出力された対象体の映像とＸ線照射領域を表示するタッチスクリーンを用いたディスプレイ部とを含むＸ線装置を提供する。対象体を撮影し、前記対象体の映像を出力するカメラ；前記対象体の映像と前記対象体に対するＸ線照射領域の映像を表示するディスプレイ部；Ｘ線が照射される対象体のＸ線照射領域を調節するＸ線照射領域調節部；及び前記ディスプレイ部に表示された前記対象体の映像と前記Ｘ線照射領域の映像に基づいて前記Ｘ線照射領域調節部が前記Ｘ線照射領域を調節できるようにする制御部；を含むＸ線装置を構成する。
2014520648.tif 000002
【特許請求の範囲】
【請求項１】
対象体を撮影し、前記対象体の映像を出力するカメラ；
前記対象体の映像と前記対象体に対するＸ線照射領域の映像を表示するディスプレイ部；
Ｘ線が照射される前記対象体のＸ線照射領域を調節するＸ線照射領域調節部；及び
前記ディスプレイ部に表示された前記対象体の映像と前記Ｘ線照射領域の映像に基づいて前記Ｘ線照射領域調節部が前記Ｘ線照射領域を制御できるようにする制御部；を含むＸ線装置。
【請求項２】
前記Ｘ線照射領域は、ユーザーの命令に対応して前記ディスプレイ部に表示された映像に基づいて決定される、請求項１に記載のＸ線装置。
【請求項３】
前記ユーザーの命令は、前記ディスプレイ部に表示された前記Ｘ線照射領域の映像のタッチを通して入力される命令を含み、
前記ユーザーの命令は、リモートコントローラー、マウス、入力装置、音声認識装置及び動作認識装置のうち少なくとも一つを通して入力される命令を含む、請求項２に記載のＸ線装置。
【請求項４】
前記カメラは、前記対象体を撮影できるように前記Ｘ線照射領域調節部上に設置される、請求項１に記載のＸ線装置。
【請求項５】
前記ディスプレイ部は、タッチスクリーンを含み、前記対象体のＸ線撮影をガイドするための複数の情報をタッチスクリーン上の複数の領域に表示する、請求項１に記載のＸ線装置。
【請求項６】
前記ディスプレイ部は、ユーザーが前記対象体の前記各Ｘ線撮影部位のうち一つを選択できるように、前記対象体の各Ｘ線撮影部位の予め入力されたリストを表示し、前記ディスプレイ部は、前記Ｘ線照射領域のサイズに従って決定される、推定されるＸ線の照射量を示す値を表示する、請求項１に記載のＸ線装置。
【請求項７】
前記ディスプレイ部は、前記Ｘ線照射領域の第１の映像が前記対象体の映像と重畳されるように、前記カメラから出力された前記対象体の映像に第１の映像として前記Ｘ線照射領域の映像を表示し、
前記ディスプレイ部は、前記対象体の映像と重畳された前記Ｘ線照射領域の第１の映像に加えて、前記Ｘ線照射領域の第２の映像をさらに表示する、請求項１に記載のＸ線装置。
【請求項８】
Ｘ線装置のカメラによって獲得された対象体の映像を前記Ｘ線装置のディスプレイ部に表示し；
前記対象体の獲得された映像を表示する前記ディスプレイ部にＸ線照射領域の映像を表示し；
前記ディスプレイ部に表示された前記Ｘ線照射領域の映像に基づいてＸ線が照射される前記対象体の領域を調節するＸ線照射領域の調節方法。
【請求項９】
前記ディスプレイ部に表示された前記Ｘ線照射領域の映像に基づいてＸ線が照射される前記対象体の領域を調節することは、
ユーザーの命令に対応して前記映像を調節することによって行われる、請求項８に記載のＸ線照射領域の調節方法。
【請求項１０】
前記ユーザーの命令は、前記ディスプレイ部に表示された前記Ｘ線照射領域の映像のタッチを通して入力される命令を含み、
前記ユーザーの命令は、リモートコントローラー、マウス、入力装置、音声認識装置及び動作認識装置のうち少なくとも一つを通して入力される命令を含む、請求項９に記載のＸ線照射領域の調節方法。
【請求項１１】
前記Ｘ線照射領域の映像が表示されると、前記Ｘ線照射領域のサイズに従って推定されるＸ線の照射量を示す値が表示される、請求項８に記載のＸ線照射領域の調節方法。
【請求項１２】
前記ディスプレイ部は、タッチスクリーンを含み、前記対象体のＸ線撮影をガイドする複数の情報を前記タッチスクリーン上の複数の領域に表示する、請求項８に記載のＸ線照射領域の調節方法。
【請求項１３】
前記ディスプレイ部に表示された前記Ｘ線照射領域の映像に基づいてＸ線が照射される前記対象体の領域を調節することは、
前記Ｘ線照射領域の映像が前記対象体の映像と重畳されるように、前記ディスプレイ部に表示された前記対象体の映像上でユーザーの命令によって調節される前記Ｘ線照射領域の映像を表示した後、Ｘ線が照射される前記対象体の領域を調節することによって行われる、請求項８に記載のＸ線照射領域の調節方法。
【請求項１４】
前記Ｘ線照射領域の映像が前記対象体の映像と重畳されるように、前記ディスプレイ部に表示された前記対象体の映像上で前記ユーザーの命令によって調節される前記Ｘ線照射領域の映像を表示することによって、前記照射領域を調節するために初期に設定された領域と異なる領域で前記Ｘ線照射領域が調節される、請求項１３に記載のＸ線照射領域の調節方法。
【請求項１５】
前記Ｘ線装置のカメラによって獲得された前記対象体の映像が前記Ｘ線装置の前記ディスプレイ部に表示されると、前記Ｘ線照射領域の調節をガイドするための前記Ｘ線照射領域の映像が別途に表示される、請求項８に記載のＸ線照射領域の調節方法。
【発明の詳細な説明】
【技術分野】
【０００１】
本発明は、Ｘ線が照射される領域を調節するＸ線照射領域調節装置を含むＸ線装置及びこれを用いたＸ線照射領域の調節方法に関する。
【背景技術】
【０００２】
Ｘ線装置は、動物や患者の身体にＸ線を照射し、動物や患者の身体を通過したＸ線を検出し、身体の内部構造の映像を獲得することによって、身体を切開しなくても疾病を検診できる装置である。
【０００３】
ここで、Ｘ線は、高速の電子が物体に衝突するときに放出された高い透過力を有する電磁波である。一般に、Ｘ線を発生するＸ線チューブは、熱電子を放出するフィラメントと、高電圧で強い電場を形成する電極とを含む。高電圧供給器によって発生した高電圧がＸ線チューブに印加されると、陰極として作用するフィラメントが熱電子を放出する。放出された熱電子は、強い電場のため制御された方向に移動して陽極と衝突し、熱電子が陽極と衝突した小さいサイズの地点でＸ線が発生する。
【０００４】
一般に、Ｘ線装置は、Ｘ線を発生するＸ線チューブと、Ｘ線が照射される領域を調節するＸ線照射領域調節装置と、対象体を透過したＸ線を検出するディテクターとを含む。
【０００５】
Ｘ線照射領域調節装置は、Ｘ線を急激に減衰させる鉛又はタングステンなどの物質でＸ線を遮断することによって、Ｘ線が照射される領域を調節する。Ｘ線照射領域調節装置は、肉眼では見えないＸ線の照射領域をユーザーが確認できるように、Ｘ線が照射される領域と同一の領域に可視光線を照射する構造物を含む。この構造物を通して、ユーザーは、Ｘ線照射領域を肉眼で確認しながらＸ線照射領域調節装置の絞りを調節することによって、対象体に照射されるＸ線の照射領域を調節する。このような方式は、Ｘ線照射領域調節装置の内部に配置される可視光線の光源、及び可視光線の照射方向をＸ線の照射方向に転換させる反射鏡などの構造物が異常に配置される場合、Ｘ線が照射される領域と異なる領域に可視光線が照射され、異常なＸ線撮影が行われるという問題を有する。さらに、このような方式は、Ｘ線照射領域の正確な指定の難しさのため、再撮影を避けるために必要以上に広い範囲で撮影が行われ、このような再撮影から、患者が不要なＸ線の照射に露出されるという問題を有する。
【発明の概要】
【発明が解決しようとする課題】
【０００６】
本発明の一側面は、対象体を撮影するカメラと、カメラから出力された対象体の映像とＸ線照射領域を表示するタッチスクリーンを用いたディスプレイ部とを含むＸ線装置を提供する。
【０００７】
本発明の他の側面は、ディスプレイ部に表示されたＸ線照射領域をタッチジェスチャーを通して調節するための方法を提供する。
【０００８】
本発明の更に他の側面は、予め定められたタッチジェスチャーを通したＸ線照射領域の調節環境を提供するユーザーインターフェースを提供する。
【課題を解決するための手段】
【０００９】
本発明の一側面に係るＸ線装置は、対象体を撮影し、前記対象体の映像を出力するカメラ；前記対象体の映像と前記対象体に対するＸ線照射領域の映像を表示するディスプレイ部；Ｘ線が照射される対象体のＸ線照射領域を調節するＸ線照射領域調節部；及び前記ディスプレイ部に表示された前記対象体の映像と前記Ｘ線照射領域の映像に基づいて前記Ｘ線照射領域調節部が前記Ｘ線照射領域を調節できるようにする制御部；を含む。
【００１０】
前記Ｘ線照射領域は、ユーザーの命令に対応して前記ディスプレイ部に表示された映像に基づいて決定される。
【００１１】
前記ユーザーの命令は、前記ディスプレイ部に表示された前記Ｘ線照射領域の映像のタッチを通して入力される命令を含み、前記ユーザーの命令は、リモートコントローラー、マウス、入力装置、音声認識装置及び動作認識装置のうち少なくとも一つを通して入力される命令を含む。
【００１２】
前記カメラは、前記対象体を撮影するために前記Ｘ線照射領域調節部上に設置される。
【００１３】
前記ディスプレイ部は、タッチスクリーンを含み、前記対象体のＸ線撮影をガイドするための複数の情報をタッチスクリーン上の複数の領域に表示する。
【００１４】
前記ディスプレイ部は、ユーザーが前記対象体の前記各Ｘ線撮影部位のうち一つを選択できるように、前記対象体の各Ｘ線撮影部位の予め入力されたリストを表示し、前記ディスプレイ部は、前記Ｘ線照射領域のサイズに従って決定される、推定されるＸ線の照射量を示す値を表示する。
【００１５】
前記ディスプレイ部は、前記Ｘ線照射領域の第１の映像が前記対象体の映像と重畳されるように、前記カメラから出力された前記対象体の映像に第１の映像として前記Ｘ線照射領域の映像を表示し、前記ディスプレイ部は、前記対象体の映像と重畳された前記Ｘ線照射領域の第１の映像に加えて、前記Ｘ線照射領域の第２の映像をさらに表示する。
【００１６】
本発明の他の側面に係るＸ線照射領域の調節方法は、Ｘ線装置のカメラによって獲得される対象体の映像を前記Ｘ線装置のディスプレイ部に表示し；前記対象体の獲得された映像を表示する前記ディスプレイ部にＸ線照射領域の映像を表示し；前記ディスプレイ部に表示された前記Ｘ線照射領域の映像に基づいてＸ線が照射される前記対象体の領域を調節する。
【００１７】
前記ディスプレイ部に表示された前記Ｘ線照射領域の映像に基づいてＸ線が照射される前記対象体の領域を調節することは、ユーザーの命令に対応して前記映像を調節することによって行われる。
【００１８】
前記ユーザーの命令は、前記ディスプレイ部に表示された前記Ｘ線照射領域の映像のタッチを通して入力される命令を含み、前記ユーザーの命令は、リモートコントローラー、マウス、入力装置、音声認識装置及び動作認識装置のうち少なくとも一つを通して入力される命令を含む。
【００１９】
前記Ｘ線照射領域の映像が表示されると、推定されるＸ線の照射量を示す値が前記Ｘ線照射領域のサイズに従って表示される。
【００２０】
前記ディスプレイ部は、タッチスクリーンを含み、前記対象体のＸ線撮影をガイドする複数の情報を前記タッチスクリーン上の複数の領域に表示する。
【００２１】
前記ディスプレイ部に表示された前記Ｘ線照射領域の映像に基づいてＸ線が照射される前記対象体の領域を調節することは、前記Ｘ線照射領域の映像が前記対象体の映像と重畳されるように、前記ディスプレイ部に表示された前記対象体の映像上でユーザーの命令によって調節される前記Ｘ線照射領域の映像を表示した後、Ｘ線が照射される前記対象体の領域を調節することによって行われる。
【００２２】
前記Ｘ線照射領域の映像が前記対象体の映像と重畳されるように、前記ディスプレイ部に表示された前記対象体の映像上で前記ユーザーの命令によって調節される前記Ｘ線照射領域の映像を表示することによって、前記照射領域を調節するために初期に設定された領域と異なる領域で前記Ｘ線照射領域が調節される。
【００２３】
前記Ｘ線装置のカメラによって獲得された前記対象体の映像が前記Ｘ線装置の前記ディスプレイ部に表示されると、前記Ｘ線照射領域の調節をガイドするための前記Ｘ線照射領域の映像が別途に表示される。
【発明の効果】
【００２４】
本発明の一側面によると、照射領域に患者の位置及び姿勢を案内するイメージを形成することによって、Ｘ線撮影をより正確且つ容易に行うことができる。
【００２５】
さらに、照射領域に形成されるイメージに基づいて患者の姿勢を制御することによって、Ｘ線撮影をより迅速に行うことができる。
【図面の簡単な説明】
【００２６】
【図１】本発明の一実施例に係るＸ線装置を概略的に示した図である。
【図２】本発明の一実施例に係るＸ線装置のＸ線発生部とＸ線照射領域調節部の断面を概略的に示した図である。
【図３】本発明の一実施例に係るＸ線装置の構成を示したブロック図である。
【図４】本発明の一実施例に係るディスプレイ部に提供されるユーザーインターフェースを示した図である。
【図５Ａ】ディスプレイ部の一領域に表示されたＸ線照射領域を示す映像の位置が予め定められたタッチジェスチャーによって調節されるＸ線照射領域の状態及び状態の変化を示した図である。
【図５Ｂ】ディスプレイ部の一領域に表示されたＸ線照射領域を示す映像のサイズ及び形状が予め定められたタッチジェスチャーによって調節されるＸ線照射領域の状態及び状態の変化を示した図である。
【図５Ｃ】ディスプレイ部の一領域に表示されたＸ線照射領域を示す映像のサイズ及び形状が予め定められたタッチジェスチャーによって調節されるＸ線照射領域の状態及び状態の変化を示した図である。
【図５Ｄ】ディスプレイ部の一領域に表示されたＸ線照射領域を示す映像のサイズ及び形状が予め定められたタッチジェスチャーによって調節されるＸ線照射領域の状態及び状態の変化を示した図である。
【図５Ｅ】ディスプレイ部の一領域に表示されたＸ線照射領域を示す映像の位置が予め定められたタッチジェスチャーによって調節されるＸ線照射領域の状態及び状態の変化を示した図である。
【図５Ｆ】ディスプレイ部の一領域に表示されたＸ線照射領域を示す映像の位置が予め定められたタッチジェスチャーによって調節されるＸ線照射領域の状態及び状態の変化を示した図である。
【図５Ｇ】ディスプレイ部の一領域に表示されたＸ線照射領域を示す映像の位置が予め定められたタッチジェスチャーによって調節されるＸ線照射領域の状態及び状態の変化を示した図である。
【図５Ｈ】ディスプレイ部の一領域に表示されたＸ線照射領域を示す映像の位置が予め定められたタッチジェスチャーによって調節されるＸ線照射領域の状態及び状態の変化を示した図である。
【図６】本発明の一実施例に係るＸ線装置のＸ線照射領域の調節方法を示したフローチャートである。
【図７】本発明の一実施例に係るＸ線映像を表示するための方法を示したフローチャートである。
【発明を実施するための形態】
【００２７】
ここでは、本発明の望ましい実施例を詳細に説明するために参照が行われ、各例が添付の各図面に示されている。同一の参照番号は、全体にわたって同一の要素を示す。
【００２８】
以下では、本発明の望ましい実施例の各利点及び各特徴、そして、これを達成するための各方法が望ましい各実施例に対する詳細な説明及び添付の各図面から容易に理解できるだろう。しかし、本発明の一つ以上の実施例は、多様な形態で実施することができ、ここで言及した各実施例に特別に限定されることはない。
【００２９】
下記の説明において、周知の関連した機能及び構成についての詳細な説明は、本発明の要旨を不要に曖昧にすることを避けるために省略されることもある。しかし、本発明は多種多様な形態に実施可能であり、ここに記載された実施例に限定されると解釈してはならない。なお、本発明の機能を考慮して定義される下記の用語は、使用者またはオペレータの意図及び実行によって異なった形態になることもあり、よって、本明細書全体にわたる記載に基づいて理解されなければならない。本発明の原理及び特徴は、本発明の思想から逸脱しない範囲内で種々の多くの実施例に適用されてもよい。
【００３０】
さらに、図面は、本発明の各実施例を示しているが、それら図面が必ず縮尺にしたがっているわけではなく、本発明をより明確に図示及び説明するために、ある特徴は誇張されたり省略されたりすることもある。
【００３１】
図１は、本発明の一実施例に係るＸ線装置を概略的に示した図で、図２は、本発明の一実施例に係るＸ線装置のＸ線発生部１とＸ線照射領域調節部１０の断面を概略的に示した図である。
【００３２】
本発明の一実施例に係るＸ線装置は、Ｘ線発生部１と、Ｘ線発生部１によって発生したＸ線の照射経路及び領域を調節するＸ線照射領域調節部１０と、Ｘ線照射領域調節部１０の外部に付着して対象体３を撮影するカメラ２０と、対象体３を透過したＸ線を検出するディテクター２と、Ｘ線発生部１の動きをガイドするガイド部材４と、ユーザーにＸ線撮影のための情報を提供するディスプレイ部３０とを含む。
【００３３】
Ｘ線発生部１は、電子が物体と衝突するときに放出される、短い波長と高い透過力を有する電磁波であるＸ線を発生させる。Ｘ線発生部１は、熱電子を放出するフィラメントと、高電圧で強い電場を形成する電極とを含むことができる。
【００３４】
高電圧供給器によって発生した高電圧がＸ線発生部１に印加されると、陰極として作用するフィラメントが熱電子を放出する。放出された熱電子は、強い電場のため制御された方向に移動して陽極と衝突し、熱電子が陽極と衝突した小さいサイズの地点でＸ線が発生する。図２において、“Ｓ”で表示された領域は、熱電子が陽極と衝突することによってＸ線が発生する小さいサイズの地点又は領域を示す。
【００３５】
Ｘ線発生部１の前方にはＸ線照射領域調節部１０が配置される。Ｘ線発生部１は、Ｘ線がＸ線照射領域調節部１０に照射されるように、Ｘ線の照射経路及び照射領域を調節する少なくとも一つの絞り６を含むことができる。
【００３６】
絞り６は、Ｘ線を減衰させる鉛やタングステンなどの物質からなるが、本発明の実施例がこの物質に限定されることはない。
【００３７】
絞り６は、写真用カメラの絞りと同様に、Ｘ線が照射される領域が円形を有する方式で動作することができる。
【００３８】
または、Ｘ線を減衰可能な物質で構成された一対の部材が、Ｘ線発生部１の縦長さと平行なＸ線の照射中心軸に対して絞り６の左右側に対称的に配置され、ｘ軸方向に、すなわち、絞り６に対して左右に移動する。例えば、ｘ軸方向は、図１ないし図２から垂直に延長する。他の一対の部材が、Ｘ線の照射中心軸に基づいて絞り６の上下側に対称的に配置され、ｙ軸方向に、すなわち、図１ないし図２に対して垂直な方向に上下に移動する。その結果、絞り６は、Ｘ線が照射される領域が正方形又は長方形を有する方式で動作することもできる。このようなＸ線が通過する絞り６のサイズの調節方式は、一つの例として提供されたものに過ぎなく、本発明の実施例がこの調節方式に限定されることはない。
【００３９】
Ｘ線発生部１によって発生したＸ線の照射経路及び照射領域は絞り６によって調節され、Ｘ線は、Ｘ線発生部１の前方に配置されたＸ線照射領域調節部１０に照射される。すなわち、Ｘ線発生部１の前方は、図１ないし図２に示したように右側に向かう。
【００４０】
Ｘ線照射領域調節部１０は、Ｘ線の照射経路及び照射領域を調節する絞り７を含む。絞り７は、上述したように、Ｘ線発生部１の内部に設けられた絞り６と同一の方式でＸ線の照射経路及び照射領域を調節することができる。
【００４１】
カメラ２０は、Ｘ線が照射される方向に存在する対象体３を撮影できるようにＸ線照射領域調節部１０の外部に装着される。
【００４２】
望ましくは、カメラ２０は、対象体３の少なくとも一部又は全体の形状を撮影できるように、Ｘ線がＸ線照射領域調節部１０から外部に放出されるＸ線照射領域調節部１０の長さの末端の外部に装着することができる。
【００４３】
カメラ２０が対象体３を撮影すると、対象体の映像４２は、図３ないし図４のディスプレイ部３０のスクリーンの一例に示したように、ディスプレイ部３０上に表示される。
【００４４】
カメラ２０は、撮影領域の制御を通して対象体３の全体又は一部の形状を撮影することができる。対象体３の全体の形状が撮影されると、対象体３の全体の形状の映像がディスプレイ部３０上に表示される。そして、対象体の一部の形状が撮影されると、対象体３の一部の形状の映像がディスプレイ部３０上に表示される。
【００４５】
ディテクター２は、Ｘ線照射領域調節部１０に照射されて対象体３を透過したＸ線の量を検出する装置であって、Ｘ線の透過量を検出し、対象体３の内部状態を映像４２として表示する。
【００４６】
ディテクター２は、薄膜トランジスタアレイ基板及び光センサーを含むことができる。しかし、ディテクター２は、いずれかの公知のタイプのＸ線ディテクターをさらに含むことができる。
【００４７】
図３ないし図４を参照すると、ディスプレイ部３０は、Ｘ線撮影を容易に行うために対象体３のＸ線撮影と関連する多様な情報を出力するユーザーインターフェース４０をＸ線装置のユーザーに提供する。
【００４８】
ディスプレイ部３０は、ユーザーの簡単なタッチジェスチャーを通して正確なＸ線撮影を行えるようにタッチスクリーンを用いる。ユーザーは、表示された制御映像又は表示されたＸ線映像の部分から撮影領域を選択し、ユーザーインターフェース４０を通してＸ線照射領域を調節し、Ｘ線照射領域のサイズに従って対象体３に照射されるＸ線から映像の数を獲得する。ユーザーインターフェース４０については、後で詳細に説明する。
【００４９】
図３は、本発明の一実施例に係るＸ線装置の構成を示したブロック図で、図４は、本発明の一実施例に係るディスプレイ部３０に提供されるユーザーインターフェース４０を示した図である。
【００５０】
カメラ２０は、対象体３を撮影し、該当の映像４２を発生させる。
【００５１】
対象体３の撮影は、領域の映像が映像４２と重畳されるように、Ｘ線が対象体３の映像４２に照射される領域の映像をディスプレイ部３０に表示することによってＸ線装置の使用及び制御を用いてＸ線照射領域をユーザーに知らせるために行われ、主なＸ線撮影の前にユーザーの操作を通して行われる。
【００５２】
対象体３が撮影されると、カメラ２０は、対象体３の映像情報をデジタル信号に変換した後、このデジタル信号を制御部５０に伝送する。これは、マイクロプロセッサ又は他の制御又は計算装置などのプロセッサであるか、マイクロプロセッサ又は他の制御又は計算装置などのプロセッサを含むことができる。上述したように、カメラ２０は、Ｘ線照射領域調節部１０の外面に装着され、対象体３の全体の形状又は一部が撮影されるようにする。
【００５３】
入力部２１は、Ｘ線装置のユーザーがＸ線撮影を行う全般的な操作のための各種命令を入力する装置である。ユーザーは、入力部２１を通してＸ線撮影のための命令を入力し、Ｘ線撮影の全般的な過程を調節する。入力部２１は、リモートコントローラー２２、マウス２３、キーボード２４、音声認識装置２５及び動作認識装置２６のうち少なくとも一つを含むことができる。
【００５４】
制御部５０は、カメラ２０から伝送された映像信号を受信すると、ディスプレイ部３０上に対象体３の映像４２を表示するためにディスプレイ部３０の動作を制御する信号をディスプレイ部３０に出力する。
【００５５】
さらに、入力部２１を通してＸ線撮影のための各種命令が入力されると、制御部５０は、入力された命令に従ってディスプレイ部３０、Ｘ線照射領域調節部１０及びＸ線発生部１などのＸ線装置を構成する各構成要素の動作を制御する。
【００５６】
ディスプレイ部３０は、制御部５０から伝送された信号に従って対象体３の映像４２をユーザーインターフェース４０の一つ又はそれ以上の領域に表示する。
【００５７】
Ｘ線発生部１は、制御部５０から陰極又は絞りを制御するメカニズムに伝送された制御信号によってＸ線の照射量又は絞り６の動作を調節し、Ｘ線照射領域調節部１０は、制御部５０から絞り７を制御するメカニズムに伝送された制御信号によって絞り７の動作を調節する。
【００５８】
図４から分かるように、ユーザーインターフェース４０は、それぞれ異なる情報を表示する複数の領域に分けられる。対象体３の映像４２は、各領域のうち第１の領域４１に表示される。さらに、対象体３の映像４２は、対象体３を識別するのに使用され、個人情報及び疾病記録などの対象体３に対する基本情報が表示される第５の領域４８に表示される。
【００５９】
ここで、ユーザーインターフェース４０の各領域について説明する。各領域に対応する参照番号は、任意に決定されたものであり、対応する説明は、参照番号の順序と関係なく提供される。
【００６０】
第３の領域４７には、Ｘ線撮影が行われる患者などの対象体３の各部位のリストが表示される。例えば、対象体３が患者であると仮定すると、頭、胸、腹、腕及び下体などの各身体部位のリストが第３の領域４７に表示され、このような各部位のうち一つがリストから選ばれると、Ｘ線によって撮影された撮影部位の情報は、各撮影部位の詳細なリストを表示することによって表示される。
【００６１】
撮影部位の情報は、文字によって表示したり、各部位の特徴をシンボル化したアイコンによって表示することもできる。しかし、これは一例に過ぎなく、第３の領域４７が撮影部位の情報を表示する方法であればいずれの方法も使用可能である。ユーザーは、撮影部位のリストのうち所望の撮影部位をタッチすることによって撮影部位を選択したり、又はリモートコントローラー２２、マウス２３、キーボード２４、音声認識装置２５及び動作認識装置２６のうち少なくとも一つを含む入力部２１を通して撮影部位を選択する。以下では、ユーザーの命令がタッチによって入力される一例を説明する。
【００６２】
第１の領域４１には、対象体３の映像４２とＸ線照射領域を示す映像４３が表示される。このとき、Ｘ線照射領域の映像４３が対象体３の映像４２と重畳され、第３の領域４７で撮影部位が選択されると、Ｘ線照射領域の映像４３が撮影部位に対応する領域に表示される。
【００６３】
例えば、撮影部位として首が選択されると、Ｘ線照射領域の映像４３は正方形又は直方形の形態で対象体３の首の映像上に表示される。Ｘ線照射領域の映像４３は、該当の撮影部位を含む一定の領域をカバーするために予め入力することができ、これは、第３の領域４７内の各部位のリスト内の各撮影部位と関連する。
【００６４】
Ｘ線照射領域の映像４３の輪郭は、円形または正方形、又は公知のいずれかの形状であり得るが、正方形であることが望ましい。ユーザーは、予め定められたタッチジェスチャーに従って、第１の領域４１に表示されたＸ線照射領域の映像４３のサイズ及び位置を制御することができる。すなわち、ユーザーは、Ｘ線照射領域の映像４３をタッチ及びドラッグすることによってサイズ及び位置を制御する。Ｘ線照射領域の映像４３の制御と関連しては、後述する第２の領域４４の説明において詳細に説明する。
【００６５】
第３の領域４７で撮影部位が選択されると、Ｘ線照射領域の映像４３が映像４２と重畳されるように、Ｘ線照射領域の映像４３が第１の領域４１で対象体３の映像４２に表示され、Ｘ線照射領域の第２の映像４５は、何ら対象体の映像を表示することなく別途に第２の領域４４のみに表示される。
【００６６】
第２の領域４４に表示されるＸ線照射領域の第２の映像４５は、第１の領域４１に表示されるＸ線照射領域の映像４３より広く、サイズを示す目盛りと共に表示される。これは、ユーザーがＸ線照射領域の各映像４３、４５を容易に調節できるようにする。
【００６７】
ユーザーの好みと便宜に基づいたユーザーの選択に従って第１の領域４１に表示されたＸ線照射領域の映像４３を制御したり、又は第２の領域４４に表示されたＸ線照射領域の映像４５を制御することによって、対象体３に照射されるＸ線の照射領域を制御することができる。したがって、ユーザーインターフェース４０はＧＵＩ（ｇｒａｐｈｉｃ  ｕｓｅｒ  ｉｎｔｅｒｆａｃｅ）であるが、各映像４３、４５の操作は、公知の方法でＸ線照射領域調節部１０を制御するために制御信号を発生させるように制御部５０によって処理される。処理方式は、例えば、Ｘ線照射領域調節部１０によってＸ線の方向を調節し、また、絞り７のサイズを調節することによって対象体３及びディテクター２に対して対応するサイズ、形状、方向及び方位を決定する方式である。
【００６８】
ユーザーは、第２の領域４４に表示されたＸ線照射領域の第２の映像４５のサイズ及び位置を予め定められたタッチジェスチャーに従って調節することができる。すなわち、ユーザーは、Ｘ線照射領域の映像４５をタッチ及びドラッグすることによってサイズ及び位置を調節することができる。
【００６９】
第２の領域４４でＸ線照射領域の第２の映像４５のサイズ及び位置がタッチジェスチャーによって変わると、第１の領域４１のＸ線照射領域の映像４３も、対象体３の映像４２と重畳された状態でそのサイズ及び位置が変わる。
【００７０】
すなわち、対象体３の映像４２と重畳されて表示されたＸ線照射領域の映像４３は、第２の領域４４に表示されたＸ線照射領域の第２の映像４５の変化と共に変わり、その結果、ユーザーは、Ｘ線が照射され、撮影が行われる対象体３の撮影部位を正確且つ微細に調節することができる。
【００７１】
一方、第１の領域４１に表示されたＸ線照射領域の映像４３が制御されると、第２の領域４４に表示されたＸ線照射領域の第２の映像４５も制御される。
【００７２】
図５Ａないし図５Ｈは、Ｘ線照射領域を示す各映像の状態及び状態の変化を示し、ディスプレイ部３０のユーザーインターフェース４０の第２の領域４４に表示されるＸ線照射領域の第２の映像４５のサイズ、位置及び形状が予め定められたタッチジェスチャーによって調節されるＸ線照射領域を制御及び形成することを示した図である。
【００７３】
図５Ａないし図５Ｈにおいて、内部が黒色で充填された単一円は、タッチ地点を示し、内部が空の単一円は、タッチされた黒色の単一円がドラッグされて位置する地点を示す。破線で表示された矢印は移動経路を示し、大きい円が黒色で充填された単一円を取り囲む二重円は、二重タッチ地点を示す。
【００７４】
図５Ａは、Ｘ線照射領域の第２の領域４５を移動させるタッチジェスチャーの一例を示す。ユーザーは、Ｘ線照射領域の第２の映像４５内部の任意の地点を同時にタッチ及びドラッグすることによってＸ線照射領域の第２の映像４５を所望の位置に移動させることができる。
【００７５】
図５Ｂ、図５Ｃ及び図５Ｄは、Ｘ線照射領域の第２の映像４５のサイズを変化させるタッチジェスチャーの一例を示す。
【００７６】
図５Ｂに示したように、ユーザーは、第２の映像４５の一側の任意の地点をタッチ及びドラッグすることによってＸ線照射領域の第２の映像４５のサイズを調節することができる。第２の映像４５の一側の任意の地点がタッチされ、向かい合う辺（“ａ”方向）にドラッグされると、第２の映像４５のサイズを縮小させることができ、地点が向かい合う辺の反対方向（“ｂ”方向）にドラッグされると、映像４５のサイズを拡大させることができる。
【００７７】
また、図５Ｃに示したように、ユーザーは、映像４５の二つの向かい合う辺の任意の地点をそれぞれタッチ及びドラッグすることによって映像４５のサイズを調節することができる。ユーザーが映像４５の二つの向かい合う辺の任意の各地点をそれぞれタッチし、各地点が互いに向かい合って近づくように（“ｃ”方向に）ドラッグすると、映像４５のサイズを縮小させることができ、ユーザーが二つの地点が互いに反対側に遠ざかるように（“ｄ”方向に）ドラッグすると、映像４５のサイズを拡大させることができる。
【００７８】
また、図５Ｄに示したように、ユーザーは、映像４５の任意の頂点をタッチし、対角線方向にドラッグすることによって映像４５のサイズを調節することができる。ユーザーが映像４５の頂点をタッチし、向かい合う対角線方向の頂点側に（“ｅ”方向)にドラッグすると、映像４５のサイズは、元の形状に維持しながら縮小させることができ、ユーザーが対角線方向の反対側に（“ｆ”方向に）ドラッグすると、映像４５のサイズは、元の形状に維持しながら拡大させることができる。上述したように、図５Ｂ、図５Ｃ及び図５Ｄに示したタッチジェスチャーは、Ｘ線照射領域の第２の映像４５のサイズを調節できるタッチジェスチャーの一例に過ぎなく、同一の機能を具現するために他のタッチジェスチャーも使用可能である。
【００７９】
図５Ｅ及び図５Ｆは、Ｘ線照射領域の第２の映像４５を回転させるタッチジェスチャーの一例を示す。
【００８０】
図５Ｅに示したように、ユーザーは、映像４５の頂点を２回タッチし、映像４５を所望の回転方向にドラッグすることによって映像４５を回転させることができる。このとき、映像４５は、同一の位置で回転し、移動はしない。すなわち、映像４５は、中心点に対して回転し、並進運動を有さない。
【００８１】
さらに、図５Ｆに示したように、ユーザーは、映像４５の任意の頂点と映像４５内部の任意の地点をタッチし、映像４５を回転方向にドラッグすることによって映像４５を回転させることができる。図５Ｅと同様に、映像４５は、同一の位置で回転し、移動はしない。すなわち、映像４５は、中心点に対して回転し、並進運動を有さない。上述したように、図５Ｅ及び図５Ｆに示したタッチジェスチャーは、映像４５のサイズ及び方位を制御できるタッチジェスチャーの一例に過ぎなく、同一の機能を具現するために他のタッチジェスチャーも使用可能である。
【００８２】
図５Ｇ及び図５Ｈは、Ｘ線照射領域の第２の映像４５をそのサイズ、位置及び形状が変わる前の状態に初期化するタッチジェスチャーの一例を示す。
【００８３】
図５Ｇに示したように、ユーザーが映像４５内部の三つの地点を同時にタッチすると、映像４５は、そのサイズ、位置及び形状が変わる前の状態に初期化される。
【００８４】
また、図５Ｈに示したように、ユーザーが映像４５内部の任意の地点をタッチし、この地点を一方向にドラッグし、この地点を反対方向にドラッグすると、映像４５は、そのサイズ、位置及び形状が変わる前の状態に初期化される。図５Ｈにおいては、映像４５の振動が図示されるが、これは一例に過ぎなく、映像４５は、方向と関係なく、振動されたときに初期化される。
【００８５】
図４と関連する本発明の追加的な特徴を説明する。
【００８６】
第４の領域４６には、Ｘ線照射領域のサイズとＸ線照射領域のサイズに基づいて推定されるＸ線の照射量が表示される。Ｘ線照射領域のサイズは、対象体３の各撮影部位で主に撮影される面積のデータを通して決定することができる。
【００８７】
Ｘ線照射領域のサイズによるＸ線の照射量は、Ｘ線撮影時に一般的に照射されるＸ線の量を用いてＸ線照射領域のサイズによってＸ線の量を算出することによって決定することができる。
【００８８】
例えば、対象体３として患者の胸がＸ線撮影部位から選択されると、第４の領域４６には、撮影が主に胸で行われる撮影面積とＸ線の照射量などの情報がリストとして表示される。
【００８９】
さらに、Ｘ線照射領域の制御によってＸ線の照射量の変動が実時間に表示される。ユーザーは、この情報に基づいてＸ線照射領域の面積によって対象体３に照射されるＸ線の量の値を想定、決定又は推定し、想定又は推定された値に基づいてＸ線照射領域のサイズを制御することができる。例えば、ユーザーが、選択されたＸ線照射領域に照射された想定又は推定されたＸ線の量が高いと見なすと、ユーザーは、Ｘ線照射領域のサイズを減少させることによってＸ線の照射量を減少させることができる。
【００９０】
第５の領域４８には、対象体３に対する情報が表示される。対象体３が患者であると、患者の個人情報及び疾病記録などの情報が表示され、Ｘ線装置のユーザーがＸ線撮影を行えるようにする。図４に示したユーザーインターフェース４０内の各領域の位置は、一つの例に過ぎなく、他にも変化可能である。
【００９１】
図６は、本発明の一実施例に係るＸ線装置のＸ線照射領域の調節方法を示したフローチャートである。
【００９２】
図６を参照すると、カメラ２０を用いて対象体３が撮影されると、制御部５０は、対象体の映像４２をディスプレイ部３０内に表示する（ステップ１００）。
【００９３】
対象体３が撮影されると、カメラ２０は、対象体３の映像情報をデジタル信号に変換し、このデジタル信号を制御部５０に伝送する。制御部５０は、カメラ２０から伝送された対象体３の映像信号を受信し、対象体の映像４２を表示するためにディスプレイ部３０の動作を制御する信号をディスプレイ部３０に出力する。ディスプレイ部３０は、制御部５０から伝送された信号に従って対象体３の映像４２をユーザーインターフェース４０の第１の領域４１に表示する。さらに、制御部５０は、対象体の映像４２がディスプレイ部３０に表示されると、Ｘ線照射領域の制御をガイドできるＸ線照射領域を示す映像を表示する。
【００９４】
ディスプレイ部３０のユーザーインターフェース４０に対象体３の映像４２が表示されると、制御部５０は、Ｘ線照射領域の映像４３が映像４２と重畳されるように対象体の映像４２内のＸ線照射領域の映像４３を表示する（ステップ１１０）。
【００９５】
対象体３の映像４２がディスプレイ部３０のユーザーインターフェース上に表示された後、対象体３の撮影部位に対する情報が入力されると、制御部５０は、該当の撮影部位に対応する領域内に重畳されるＸ線照射領域の映像４３を表示する。Ｘ線照射領域の映像は、該当の撮影部位を含む一定の領域をカバーするために各撮影部位と関連して予め入力される。
【００９６】
制御部５０は、ディスプレイ部３０のユーザーインターフェース４０の第２の領域４４にＸ線照射領域を示す第２の映像４５のみを別途に表示する（ステップ１２０）。ディスプレイ部３０のユーザーインターフェース４０の第１の領域４１に対象体の映像４２が重畳されると、第２の領域４４には、対象体３の映像４２なしで第２の映像４５のみが表示される。
【００９７】
ディスプレイ部３０のユーザーインターフェース４０の第２の領域４４に第２の映像４５が表示されると、制御部５０は、第２の領域４４に表示されたＸ線照射領域４５で予め定められたタッチジェスチャーが検知されるか否かを確認する（ステップ１３０）。ステップ１３０で予め定められたタッチジェスチャーが検知されない場合、方法は終了する。
【００９８】
そうでない場合、第２の領域４４に表示されたＸ線照射領域の第２の映像４５は、ステップ１４０で予め定められたタッチジェスチャーに従ってそのサイズ及び位置が変わる。すなわち、ユーザーは、予め定められたタッチジェスチャーに従ってＸ線照射領域の映像４５を所望のサイズと位置に調節することができる。
【００９９】
第２の領域４４に表示されたＸ線照射領域の映像４５で予め定められたタッチジェスチャーが検知されると、制御部５０は、該当のタッチジェスチャーに従って変形した映像４５を第２の領域４４に表示する（ステップ１４０）。
【０１００】
図５Ａないし図５Ｈを参照して説明したタッチジェスチャーの一つが、タッチスクリーンの露出した外面を用いてユーザーによって入力されると、制御部５０は、該当のタッチジェスチャーが予め定められたタッチジェスチャーと同一であるか否かを判断し、該当のタッチジェスチャーが予め定められたタッチジェスチャーと同一であると、該当のタッチジェスチャーに従って映像４５のサイズ及び位置を調節し、変形した映像４５を表示する。第２の領域４４で映像４５のサイズ及び位置がタッチジェスチャーによって変わると、第１の領域４１の映像４３のサイズ及び位置も、映像４３が対象体３の映像４２と重畳される状態に変わる。すなわち、第１の領域４１で対象体３の映像４２と重畳されるＸ線照射領域の映像４３は、第２の領域４４に表示されたＸ線照射領域の第２の映像４５の変化と共に変わり、その結果、ユーザーは、Ｘ線が照射され、撮影が行われる対象体３の撮影部位を正確且つ微細に調節することができる。以上では、第２の領域４４に表示されるＸ線照射領域の第２の映像４５の制御が一例で説明されたが、第１の領域４１に表示されたＸ線照射領域の映像４３も制御される。また、第１の領域４１に表示された映像４３が制御されると、第２の領域４４に表示された第２の映像４５も制御される。
【０１０１】
第２の領域４４に表示されたＸ線照射領域の第２の映像４５が予め定められたタッチジェスチャーに従って変わると、制御部５０は、Ｘ線が照射される対象体３の領域が、第２の領域４４に表示されたＸ線照射領域の映像４５と一致するようにＸ線照射領域調節部１０を制御し（ステップ１５０）、この方法は、ステップ１３０に戻る。
【０１０２】
制御部５０は、Ｘ線照射領域調節部１０を制御するための信号をＸ線照射領域調節部１０に出力し、Ｘ線照射領域調節部１０の絞り７の動作を制御することによって、対象体３に照射されるＸ線の領域は、第２の領域で変形したＸ線照射領域の第２の映像４５と一致させる。
【０１０３】
タッチジェスチャーは、ユーザーが望むＸ線照射領域が所望のサイズと位置を有して形成されるまで継続されるので、制御部５０は、第２の領域４４のＸ線照射領域の第２の映像４５でタッチジェスチャーが検知されなくなるまで図６のステップ１３０ないし１５０を繰り返す。
【０１０４】
ステップ１３０において、第２の領域４４に表示されたＸ線照射領域の映像で予め定められたタッチジェスチャーがこれ以上検知されないと、Ｘ線照射領域の調節が完了したと見なし、制御動作を完了する。
【０１０５】
図７は、本発明の一実施例に係るＸ線映像を表示する方法を示すフローチャートである。
【０１０６】
図７を参照すると、対象体３がカメラ２０を用いて撮影されると、制御部５０は、ディスプレイ部３０上に対象体３の映像４２を表示する（ステップ２００）。
【０１０７】
対象体３が撮影されると、カメラ２０は、対象体３の映像情報をデジタル信号に変換し、このデジタル信号を制御部５０に伝送する。制御部５０は、カメラ２０から伝送された対象体３の映像信号を受信し、対象体３の映像４２を表示するためにディスプレイ部３０の動作を制御する信号をディスプレイ部３０に出力する。ディスプレイ部３０は、制御部５０から伝送された信号に従ってユーザーインターフェース４０の第１の領域４１に対象体３の映像４２を表示する。
【０１０８】
制御部５０は、ディスプレイ部３０内に対象体３の各撮影部位のリストを表示する（ステップ２１０）。
【０１０９】
Ｘ線撮影が行われる各撮影部位のリストは、ディスプレイ部３０のユーザーインターフェース４０の第３の領域４７に表示される。例えば、対象体３が患者であると仮定すると、頭、胸、腹、腕及び下体などの身体部位のリストが第３の領域４７に表示される。また、このリストから一つの身体部位が選択されると、撮影部位の情報は、各撮影部位の詳細なリストを表示することによって表示される。
【０１１０】
各撮影部位の情報は、文字によって示されたり、又は各部位の特徴をシンボル化するアイコンによって示される。しかし、これは一つの例に過ぎなく、各撮影部位の情報を表示する方法であればいずれも使用可能である。
【０１１１】
制御部５０は、Ｘ線照射領域の映像４３が対象体の映像４２と重畳されるように対象体３の映像４２にＸ線照射領域の映像４３を表示する（ステップ２２０）。
【０１１２】
対象体３の映像４２がディスプレイ部３０のユーザーインターフェース４０に表示された後、対象体３の撮影部位の情報が入力されると、制御部５０は、Ｘ線照射領域の映像４３が撮影部位領域と重畳されるように撮影部位に対応する領域にＸ線照射領域の映像４３を表示する。映像４３は、対応する撮影部位を含む予め定められた領域をカバーするために、各撮影部位のために予め入力される。
【０１１３】
制御部５０は、ディスプレイ部３０のユーザーインターフェース４０の第２の領域４４にＸ線照射領域の第２の映像４５のみを別途に表示する（ステップ２３０）。対象体の映像４２が、Ｘ線照射領域の映像４３が第１の領域４１と重畳されるようにディスプレイ部３０のユーザーインターフェース４０の第１の領域４１にＸ線照射領域の映像４３で表示されると、Ｘ線照射領域の第２の映像４５のみが、対象体３の映像４２を表示することなく第２の領域４４に表示される。
【０１１４】
制御部５０は、ディスプレイ部３０のユーザーインターフェース４０に第４の領域４６に照射されるＸ線の想定又は推定される量の値を表示する（ステップ２４０）。
【０１１５】
Ｘ線照射領域のサイズとサイズに基づいて推定されるＸ線の照射量の値は、第４の領域４６に表示される。Ｘ線照射領域のサイズは、撮影が主に行われる面積のデータを通して対象体３の各撮影部位で決定される。
【０１１６】
Ｘ線の照射量は、Ｘ線撮影で一般的に照射されるＸ線の量を用いてＸ線照射領域のサイズに応じてＸ線の量を計算することによって決定される。
【０１１７】
さらに、Ｘ線照射領域の制御によってＸ線の照射量の変動が実時間に表示される。ユーザーは、この情報に基づいてＸ線照射領域の面積に応じて対象体３に照射されるＸ線の量の値を想定又は推定し、想定又は推定された値に基づいてＸ線照射領域のサイズを制御することができる。例えば、ユーザーが、選択されたＸ線照射領域に照射された想定又は推定されたＸ線の量が高いと見なすと、ユーザーは、Ｘ線照射領域を減少させることによってＸ線の照射量を減少させることができる。
【０１１８】
制御部５０は、ディスプレイ部３０のユーザーインターフェース４０の第５の領域４８に対象体３と関連する情報を表示する（ステップ２５０）。
【０１１９】
対象体３が患者であると、患者の個人情報及び疾病記録などの情報が表示され、Ｘ線装置のユーザーがＸ線撮影を行えるようにする。
【０１２０】
ディスプレイ部３０のユーザーインターフェース４０の第２の領域４４にＸ線照射領域の第２の映像４５が表示されると、制御部５０は、第２の領域４４に表示されたＸ線照射領域の第２の映像４５で予め定められたタッチジェスチャーが検知されるか否かを確認する（ステップ２６０）。予め定められたタッチジェスチャーが検知されない場合、方法は終了する。
【０１２１】
そうでない場合、第２の領域４４に表示されたＸ線照射領域の第２の映像４５は、予め定められたタッチジェスチャーに従ってそのサイズ及び位置が変わる。すなわち、ユーザーは、予め定められたタッチジェスチャーに従ってＸ線照射領域の映像４５の所望のサイズと位置を獲得することができる。
【０１２２】
第２の領域４４に表示されたＸ線照射領域の映像４５で予め定められたタッチジェスチャーが検知されると、制御部５０は、該当のタッチジェスチャーに従って変形したＸ線照射領域の映像４５を第２の領域４４に表示し（ステップ２７０）、ステップ２６０に戻る。
【０１２３】
図５Ａないし図５Ｈを参照して説明したタッチジェスチャーが、タッチスクリーンの露出した外面を用いてユーザーによって入力されると、制御部５０は、該当のタッチジェスチャーが予め定められたタッチジェスチャーと同一であるか否かを確認し、該当のタッチジェスチャーが予め定められたタッチジェスチャーと同一であると、該当のタッチジェスチャーに従ってＸ線照射領域の映像４５のサイズ及び位置を調節し、Ｘ線照射領域の変形した映像４５を表示する。第２の領域４４でＸ線照射領域の映像４５のサイズ及び位置がタッチジェスチャーによって変わると、第１の領域４１のＸ線照射領域の映像４３のサイズ及び位置も、Ｘ線照射領域の映像４３が対象体３の映像４２と重畳される状態で変わる。すなわち、第１の領域４１に対象体の映像４２と重畳されるＸ線照射領域の映像４３は、第２の領域４４に表示されたＸ線照射領域の第２の映像４５の変化に従って変わり、その結果、ユーザーは、Ｘ線が照射され、撮影が行われる対象体３の撮影部位を正確且つ微細に調節することができる。以上では、第２の領域４４に表示されるＸ線照射領域の映像４５の制御が一例として説明されたが、第１の領域４１に表示されるＸ線照射領域の映像４３も制御される。また、第１の領域４１に表示されたＸ線照射領域の映像４３が制御されると、第２の領域４４に表示されたＸ線照射領域の映像４５も制御される。
【０１２４】
タッチジェスチャーは、ユーザーが望むＸ線照射領域が形成されるまで継続されるので、制御部５０は、第２の領域４４のＸ線照射領域の映像４５でタッチジェスチャーが検知されなくなるまでステップ２６０ないし２７０を繰り返す。
【０１２５】
ステップ２６０において、第２の領域４４に表示されるＸ線照射領域の映像４５で予め定められたタッチジェスチャーがこれ以上検知されないと、Ｘ線照射領域の映像４５の調節が完了したと見なし、制御動作を完了する。
【０１２６】
上述した本発明に係る装置及び方法は、ハードウェアまたはファームウェアで具現されてもよく、ソフトウェア、コンピュータコードまたはその組み合わせにしてもよい。また、該ソフトウェアまたはコンピュータコードは、ＣＤ−ＲＯＭ、ＲＡＭ、ＲＯＭ、フロッピー（登録商標）ディスク、ＤＶＤ、ハードディスク、磁気記憶媒体、光記録媒体または光磁気記録媒体のような遠隔記録媒体、コンピュータ読み出し可能記録媒体または非一時的装置読み出し可能媒体にそもそも保存されたネットワークを通じてダウンロードされてローカル記録媒体上で保存されるコンピュータコードに保存されることで、ここに記載の方法が、汎用コンピュータ、ディジタルコンピュータまたは特定プロセッサを用いる記録媒体上、またはＡＳＩＣまたはＦＰＧＡのようなプログラマブルまたは専用のハードウェアに保存されるソフトウェアで実行されるようにする。当該分野で明らかなように、上記のコンピュータ、プロセッサ、マイクロプロセッサコントローラまたはプログラマブルハードウェアは、上記のコンピュータ、プロセッサまたはハードウェアによりアクセス及び実行されてここに記載の処理方法を具現するコンピュータコードまたはソフトウェアを保存または受信することができる、例えば、ＲＡＭ、ＲＯＭ、フラッシュなどのメモリ要素を含む。また、汎用コンピュータがここに開示の処理を行うためのコードにアクセスするとき、該コードの実行は、汎用コンピュータを、ここに記載の処理を実行するための特定目的のコンピュータへ変換させる。
【０１２７】
以上、本発明のいくつかの実施例が開示及び説明されたが、発明の原理及び精神から逸脱することなく、様々な変形実施が可能であるということは、当該技術の分野における通常の知識を有する者には明らかであり、発明の範囲は、特許請求の範囲及びその均等物により定義される。
【符号の説明】
【０１２８】
１    Ｘ線発生部
２    ディテクター
３    対象体
４    ガイド部材
１０    Ｘ線照射領域調節部
２０    カメラ
２１    入力部
３０    ディスプレイ部
４０    ユーザーインターフェース
５０    制御部
【図１】
2014520648.tif 000003
【図２】
2014520648.tif 000004
【図３】
2014520648.tif 000005
【図４】
2014520648.tif 000006
【図５ａ】
2014520648.tif 000007
【図５ｂ】
2014520648.tif 000008
【図５ｃ】
2014520648.tif 000009
【図５ｄ】
2014520648.tif 000010
【図５ｅ】
2014520648.tif 000011
【図５ｆ】
2014520648.tif 000012
【図５ｇ】
2014520648.tif 000013
【図５ｈ】
2014520648.tif 000014
【図６】
2014520648.tif 000015
【図７】
2014520648.tif 000016
【国際調査報告】
2014520648.tif 000017
2014520648.tif 000018